(57)【要約】【課題】多種少量生産でも低コストの鍵変換式ピンタンブラー錠を提供すること。【解決手段】ケーシング１０と、第１回転体２０と第２回転体３０及び固定体４０とを備え、オペレーター用丸鍵５０１，５０２を鍵穴に挿入したとき、両回転体２０，３０が一体回転可能に連結されるとともに、第２回転体３０が固定体４０に対して相対回転可能となり、変換用丸鍵６０１，６０２を鍵穴に挿入したとき、第１回転体２０が第２回転体３０に対して相対回転可能となり、かつ第２回転体３０が固定体４０に回転不能に連結され、かつ変換用丸鍵６０１，６０２を鍵穴に挿入して所定角度第１回転体２０を回転すると、第１貫通ピン孔２５の列が第１有底孔３７の列に整列して第１有底孔３７のスペーサー８６が第１貫通ピン孔２５中へ移動可能となるように構成する。【選択図】  図１
2004324141.tif 000002
【特許請求の範囲】
【請求項１】
前面に丸鍵挿入口を形成したケーシングと、ケーシング内に装着した第１回転体と第２回転体及び固定体とを備え、
第１回転体の前面に、丸鍵が嵌合する鍵嵌合軸を凸設し、該嵌合軸の周囲に軸方向に延びる第１貫通ピン孔の列と、軸方向に延びる少なくとも１個の第２貫通ピン孔を形成し、各第１貫通ピン孔に第１コードピンを挿入し、第２貫通ピン孔に第２コードピンを挿入し、第１回転体の後面に軸方向に延びる延伸部を凸設し、
第２回転体の前面に第１回転体の延伸部が挿入される中心穴を形成し、中心穴の周囲に、第１貫通ピン孔に対応して第３貫通ピン孔の列と、第２貫通ピン孔に対応して第４貫通ピン孔と、第１貫通ピン孔に選択的に対応する第１有底孔の列を形成し、各第３貫通ピン孔に第１中間ピンを挿入し、第４貫通ピン孔に第２中間ピンを挿入し、各第１有底孔に複数個のスペーサーとスペーサーを第１回転体側へ付勢するスプリングを挿入し、第２回転体の後面に錠軸を凸設し、
固定体に錠軸が貫通する中心穴を形成し、中心穴の周囲に第３貫通ピン孔に対応して第２有底孔の列を形成するとともに、第４貫通ピン孔に対応して第３有底孔を形成し、各第２有底孔に第１ドライブピンと第１ドライブピンを第２回転体側へ付勢するスプリングを挿入し、第３有底孔に第２ドライブピンと第２ドライブピンを第２回転体側へ付勢するスプリングを挿入し、
オペレーター用丸鍵を鍵穴に挿入したとき、第２コードピンと対応する第２中間ピンの当接面が第１回転体と第２回転体の境界面から外れて両回転体が一体回転可能に連結されるとともに、第３貫通ピン孔の第１中間ピンと対応する第２有底孔の第１ドライブピンとの当接面及び第４貫通ピン孔の第２中間ピンと第３有底孔の第２ドライブピンとの当接面が第２回転体と固定体との境界面に一致して第２回転体が固定体に対して相対回転可能となり、
変換用丸鍵を鍵穴に挿入したとき、第１コードピンと対応する第１中間ピンとの当接面及び第２コードピンと対応する第２中間ピンとの当接面が第１回転体と第２回転体との境界面に一致して第１回転体が第２回転体に対して相対回転可能となり、かつ第４貫通ピン孔の第２中間ピンと第３有底孔の第１ドライブピンとの当接面が第２回転体と固定体との境界面から外れて第２回転体が固定体に回転不能に連結され、
かつ変換用丸鍵を鍵穴に挿入して所定角度第１回転体を回転すると、第１貫通ピン孔の列が第１有底孔の列に整列して第１有底孔のスペーサーが第１貫通ピン孔中へ移動可能となるように構成したことを特徴とする鍵変換式ピンタンブラー錠。
【請求項２】
前記第１貫通ピン孔と第１コードピンの断面形状、第３貫通ピン孔と同貫通ピン孔に挿入される第１中間ピンの断面形状及び第２有底孔と同有底孔に挿入される第１ドライブピンの断面形状及び第１有底孔と同有底孔に挿入されるスペーサーの断面形状を瓢箪形にしたことを特徴とする請求項１に記載の鍵変換式ピンタンブラー錠。
【発明の詳細な説明】
【０００１】
【発明の属する技術分野】
本発明は鍵変換式ピンタンブラー錠に関する。
【０００２】
【従来の技術】
パチンコ機やスロット機を設置したホールでは各従業員に共通の鍵を持たせ、この鍵を使ってパチンコ機等の窓枠に取り付けられているピンタンブラー錠を開閉する。このようなピンタンブラー錠では、共通鍵の一個を紛失すると、その鍵の悪用を防止するため店内のパチンコ機等の錠全ての交換を余儀なくされるが、これには多大のコストを要する。そのため、パチンコ機等のピンタンブラー錠には共通鍵を紛失したとき、変換用鍵を使って錠内部のタンブラーピンの配列を変換し、これにより紛失した鍵ではもはや錠の開閉を不可能にし、別の鍵でしか開閉できないようにできる鍵変換式ピンタンブラー錠が広く用いられている。
【０００３】
この種の鍵変換式ピンタンブラー錠の一形式として、特開平８−２８４５００号公報には、ケーシングと固定体及び回転体を備え、固定体に中心貫通孔とその周囲に有底ピン孔の列を形成し、回転体に錠軸を凸設し、錠軸の周囲に貫通ピン孔の列を形成し、固定体をケーシング内に固定するとともに回転体を装着し、錠軸を固定体の中心貫通孔に挿入してケーシング外部に突出させ、固定体の有底ピン孔にスプリングとドライブピンを挿入し、回転体の貫通ピン孔にコードピンを挿入し、一本のドライブピンの先端部に小径部を形成してその部分から破断可能にしたピンタンブラー錠が開示されている。
【０００４】
この鍵変換式ピンタンブラー錠では、元のオペレーター用丸鍵と同じカム溝を形成した第１変換用丸鍵をケーシングの鍵穴に挿入して所定角度回転させ、その位置で第１変換用丸鍵を抜き出し、次ぎに第２変換用丸鍵を挿入して元の位置まで回転させると、一本のドライブピンの先端部が破断して破断部分が回転体の貫通ピン孔の一つに移動し、その貫通ピン孔のコードピンの見かけの長さが破断部分の寸法分だけ長くなる。このため、元のオペレーター用丸鍵は使用不能となり、第２変換用丸鍵と同じカム溝を形成した別のオペレーター用丸鍵が使用可能となる。
【０００５】
【発明が解決しようとする課題】
ところで、パチンコ機やスロット機に使われている従来の鍵変換式ピンタンブラー錠では、例えば回転体に６本の貫通ピン孔を形成するとともにＮｏ．１〜Ｎｏ．４の４種類の長さの異なるコードピンを用意しておき、６桁の乱数に基づいて各貫通ピン孔に４種類から選択した１本のコードピンを挿入して組み立てられている。そして顧客毎に乱数が指定され、他の顧客と乱数が重ならないように管理される。具体的には、顧客Ａには例えば乱数「４１３２２３」が付され、他の顧客Ｂにはこの乱数と重なることのない乱数、例えば「４３３２１１」が付与される。そして、顧客Ａから錠の注文があると、乱数「４１３２２３」に基づき、回転体の一番目の孔にＮｏ．４のコードピン、２番目の孔にＮｏ．１のコードピン、三番目の孔にＮｏ．３のコードピン、四番目の孔にＮｏ．３のコードピン、五番目の孔にＮｏ．２のコードピン、六番目の孔にＮＯ．３のコードピンを挿入して錠を組み立てる。
【０００６】
このように、従来の鍵変換式ピンタンブラー錠は、顧客毎にコードピンの組み合わせが異なるため、多種少量生産となって生産性が甚だ低く製造コストが高くならざるを得ない。
本発明はかかる問題点に鑑み、多種少量生産でも低コストの鍵変換式ピンタンブラー錠を提供することを目的とする。
【０００７】
【課題を解決するための手段】
前面に丸鍵挿入口を形成したケーシングと、ケーシング内に装着した第１回転体と第２回転体及び固定体とを備え、
第１回転体の前面に、丸鍵が嵌合する鍵嵌合軸を凸設し、該嵌合軸の周囲に軸方向に延びる第１貫通ピン孔の列と、軸方向に延びる少なくとも１個の第２貫通ピン孔を形成し、各第１貫通ピン孔に第１コードピンを挿入し、第２貫通ピン孔に第２コードピンを挿入し、第１回転体の後面に軸方向に延びる延伸部を凸設し、
第２回転体の前面に第１回転体の延伸部が挿入される中心穴を形成し、中心穴の周囲に、第１貫通ピン孔に対応して第３貫通ピン孔の列と、第２貫通ピン孔に対応して第４貫通ピン孔と、第１貫通ピン孔に選択的に対応する第１有底孔の列を形成し、各第３貫通ピン孔に第１中間ピンを挿入し、第４貫通ピン孔に第２中間ピンを挿入し、各第１有底孔に複数個のスペーサーとスペーサーを第１回転体側へ付勢するスプリングを挿入し、第２回転体の後面に錠軸を凸設し、
固定体に錠軸が貫通する中心穴を形成し、中心穴の周囲に第３貫通ピン孔に対応して第２有底孔の列を形成するとともに、第４貫通ピン孔に対応して第３有底孔を形成し、各第２有底孔に第１ドライブピンと第１ドライブピンを第２回転体側へ付勢するスプリングを挿入し、第３有底孔に第２ドライブピンと第２ドライブピンを第２回転体側へ付勢するスプリングを挿入し、
オペレーター用丸鍵を鍵穴に挿入したとき、第２コードピンと対応する第２中間ピンの当接面が第１回転体と第２回転体の境界面から外れて両回転体が一体回転可能に連結されるとともに、第３貫通ピン孔の第１中間ピンと対応する第２有底孔の第１ドライブピンとの当接面及び第４貫通ピン孔の第２中間ピンと第３有底孔の第２ドライブピンとの当接面が第２回転体と固定体との境界面に一致して第２回転体が固定体に対して相対回転可能となり、
変換用丸鍵を鍵穴に挿入したとき、第１コードピンと対応する第１中間ピンとの当接面及び第２コードピンと対応する第２中間ピンとの当接面が第１回転体と第２回転体との境界面に一致して第１回転体が第２回転体に対して相対回転可能となり、かつ第４貫通ピン孔の第２中間ピンと第３有底孔の第１ドライブピンとの当接面が第２回転体と固定体との境界面から外れて第２回転体が固定体に回転不能に連結され、
かつ変換用丸鍵を鍵穴に挿入して所定角度第１回転体を回転すると、第１貫通ピン孔の列が第１有底孔の列に整列して第１有底孔のスペーサーが第１貫通ピン孔中へ移動可能となるように構成したことを特徴とする鍵変換式ピンタンブラー錠。
そして、好ましくは第１貫通ピン孔と第１コードピンの断面形状、第３貫通ピン孔と同貫通ピン孔に挿入される第１中間ピンの断面形状及び第２有底孔と同有底孔に挿入される第１ドライブピンの断面形状及び第１有底孔と同有底孔に挿入されるスペーサーの断面形状を瓢箪形にする。
【０００８】
【発明の作用・効果】
本発明によれば、第１、第２のオペレーター用丸鍵と第１、第２の変換用丸鍵を使うことにより、第１のオペレーター用丸鍵で開閉していた錠を第１のオペレーター用丸鍵では開閉できず、第２のオペレーター用丸鍵でしか開閉できない錠に変換できる。
変換操作は以下の手順で行う。まず、第１の変換用丸鍵を鍵穴に挿入して第１回転体を所定角度回転させ第１貫通ピン孔の列を第１有底孔に整列させる。第１の変換用丸鍵は第２コードピンに対応するカム溝の深さが、第２コードピンと対応する第２中間ピンとの当接面が第１回転体と第２回転体との境界面に一致するように設定されている。また、第１コードピンに対応するカム溝は第１オペレーター用丸鍵の第１コードピンに対応する溝と同じ深さに設定され、これら第１オペレーター用丸鍵の各カム溝は各第１コードピンと第１中間ピンの当接面が第１回転体と第２回転体の境界面に一致するように設定されているので、第１回転体が第２回転体に対して相対回転可能になり、所定角度回転させることができる。
次ぎに、第２変換用丸鍵を鍵穴に挿入する。第２変換用丸鍵の第２コードピンに対応するカム溝は第１変換用丸鍵と同じ深さに設定されている。一方、第２変換用丸鍵の第１コードピンに対応するカム溝は第２オペレーター用丸鍵の第１コードピンに対応するカム溝と同じ深さに設定され、これらのカム溝の深さは顧客に固有の乱数表に基づいて設定されている。そのため、第２変換用丸鍵を鍵穴に挿入すると、第１コードピンに対応するカム溝の深さに応じて所定個数のスペーサーが第２回転体の第１有底孔から第１回転体の第１貫通ピン孔に移動し、第１貫通ピン孔の第１コードピンの長さがスペーサーの分だけ長くなる。従って、第２変換用丸鍵で第１回転体を元の位置に戻すと、錠は第１オペレーター用丸鍵では開閉できなくなる。第２オペレーター用丸鍵の第２コードピンに対応するカム溝は第１オペレーター用丸鍵と同じ深さに設定されているので、錠は第２オペレーター用丸鍵によって開閉できるように変換される。
しかして、本発明の鍵変換式ピンタンブラー錠によれば、所要深さのカム溝を形成した変換用丸鍵を使って錠を従前のオペレーター用丸鍵では開閉できず、別のオペレーター用丸鍵でしか開閉出来ない構造に錠を変換できるので、変換用丸鍵を用意すれば、顧客毎にタンブラーピンを組み込む作業を省略できる。そのため、製造コストを大幅に低減できる。
また、貫通ピン孔を瓢箪形にすることで、第１貫通ピン孔と対応する第３貫通ピン孔又は第１有底孔、及び第３貫通ピン孔と第２有底孔とが正しく整列したときのみ各ピンが対応する孔へ移動可能となり、所定の孔以外の孔へピンやスペーサーが移動して誤作動の原因となることを防止できる。
【０００９】
【発明の実施の形態】
以下に本発明を図面に基づき説明するに、図１には本発明の一実施形態に係る鍵変換式ピンタンブラー錠が示されている。当該ピンタンブラー錠は、ケーシング１０、第１回転体２０、第２回転体３０及び固定体４０を備えている。
【００１０】
ケーシング１０は断面が略８角形の中空構造を有し、前面に丸い鍵穴１１が形成され、鍵穴１１の上下２箇所に、丸鍵の先端外周部に設けられている外向き係合突起が嵌合する矩形の切欠部１２，１３が形成されている。ケーシング１０の上下両面に突条１４が一体に設けられ、上部突条１４に貫通孔１５が形成されている。ケーシング１０の後面にはフランジ１６が一体に設けられ、フランジ１６に取り付けビス用貫通孔１７が形成されている。
【００１１】
第１回転体２０は断面円形の胴部２１を有し、胴部２１前面の中心部に丸鍵が嵌合する鍵嵌合軸２２と同軸２２を囲むスカート部２３が凸設されている。鍵嵌合軸２２の一箇所に丸鍵の先端内周部に設けられた内向き係合突起が係合する係合溝２４が形成されている。胴部２１には、鍵嵌合軸２２の周囲に第１貫通ピン孔２５の列と、１個の第２貫通ピン孔２６が形成されている。これら貫通ピン孔２５，２６は軸方向に延びている。スカート部２３に各ピン孔２５，２６に対応して断面反円形の溝２７が形成されている。第１回転体２０の胴部後面の中心部には軸方向の延伸部２８が一体に凸設され、延伸部２８の上下２箇所に節度機構をなすボール７１とコイルスプリング７２を装着した装着穴２９が形成されている。各第１貫通ピン孔２５には第１コードピン８１が挿入され、第２貫通ピン孔２６には第２コードピン８２が挿入される。
【００１２】
第２回転体３０は断面円形のヘッド部３１を有し、ヘッド部３１の中心に第１回転体２０の延伸部２８が嵌合する第１中心穴３２が形成され、第１中心穴３２の上下２箇所に第１回転体のボールが止まる切欠部３３が形成されている。また、第１中心穴３２の周囲に第１回転体の第１貫通ピン孔２５に対応する第３貫通ピン孔３５の列と、第２貫通ピン孔２６に対応する第４貫通ピン孔３６が形成されている。さらに、第１中心穴３３の周囲には第１回転体２０を第２回転体３０に対して約１８０度回転させたとき、第１回転体２０の第１貫通ピン孔２５に整列する第１有底孔３７の列が形成されている。第２回転体３０の後面には錠軸３８が一体に凸設されている。各第３貫通ピン孔３５には第１中間ピン８３が挿入され、第４貫通ピン孔３６には第２中間ピン８４が挿入される。また、第１有底孔３７にはプッシュピン８５と４個のスペーサー８６及びこれらを第１回転体側へ付勢するコイルスプリング８７が挿入される。スペーサー８６は円盤形を有し、前後両面の外周部が面取り加工されている。
【００１３】
固定体４０は断面円形を有し、中心部に錠軸３８が貫通する第２中心穴４１が形成され、第２中心穴４１の周囲に第３貫通ピン孔３５に対応する第２有底孔４２の列と、第４貫通ピン孔３６に対応する第３有底孔４３が形成されている。また、固定体４０の外周部にケーシングの貫通孔１５に対応する円形凹部４４が形成されている。各第２有底孔４２と第３有底孔４３にはそれぞれ第１ドライブピン８８と第２ドライブピン８９及びこれらを第２回転体側へ付勢するコイルスプリング９０，９１が挿入される。
【００１４】
ケーシング１０、第１回転体２０、第２回転体３０及び固定体４０は図２及び図３に示すように組み付けられる。第１回転体２０と第２回転体３０はケーシング１０に回転可能に装着され、固定体４０はケーシング１０の貫通孔１５を通して円形凹部４４に達するストッパピン７３でケーシング１０に固定される。図２〜図７に示すように、第１回転体２０の鍵嵌合軸２２の係合溝２４とケーシング１０の上側切欠部１２が一致し、ボール７１が第２回転体３０の切欠部３３に当たる位置に第２回転体３０が位置決めされているとき、第１貫通ピン孔２５と第３貫通ピン孔３５及び第２有底孔４２が整列し、第２貫通ピン孔２６と第４貫通ピン孔３６及び第３有底孔４３が整列するので、コイルスプリング９０，９１で付勢され第１ドライブピン８８、第１中間ピン８３、第１コードピン８１が当接し、第２ドライブピン８９第２中間ピン８３、第２コードピン８２が当接する。また、このとき第２回転体３０の第１有底孔３７は第１回転体２０の第１貫通ピン孔２５に整列していないので、スペーサー８６はコイルスプリング８７で付勢されたプッシュピン８５に押され、第１回転体２０の後面に当たっ止まっている。
【００１５】
図８及び図９に、この鍵変換式ピンタンブラー錠に使用する第１、第２オペレーター用丸鍵と第１、第２変換用丸鍵を示す。第１オペレーター用丸鍵５０１の外周部には第１貫通ピン孔２５の列に対応する第１カム溝ａ１，ａ２，ａ３，ａ４，ａ５の列と第２貫通ピン孔２６に対応する第２カム溝ｂ１が形成されている。第１変換用丸鍵６０１には第１カム溝ａ１，ａ２，ａ３，ａ４，ａ５の列と同じ位置に同じ深さのカム溝の列ａ１，ａ２，ａ３，ａ４，ａ５，と、第２カム溝ｂ１と同じ位置にこれより浅い第３カム溝ｂ２が形成されている。第２変換用丸鍵６０２には第１カム溝ａ１，ａ２，ａ３，ａ４，ａ５の列とは異なる第４カム溝ｃ１，ｃ２，ｃ３，ｃ４，ｃ５の列と、第３カム溝ｂ１と同じカム溝が形成されている。第２オペレーター用丸鍵５０２には第４カム溝ｃ１，ｃ２，ｃ３，ｃ４，ｃ５の列と同じカム溝の列と、第２カム溝ｂ２と同じカム溝が形成されている。各丸鍵５０１，５０２，６０１，６０２にはケーシング１０の切欠部１２，１３に対応する外向き係合突起１００と鍵嵌合軸２２の係合溝２４に対応する内向き係合突起１０２が形成されている。
【００１６】
鍵変換式ピンタンブラー錠の構造及びオペレーター用丸鍵と変換用丸鍵の構造は以上の通りであって、次ぎに錠の開閉操作と変換の手順を説明する。図５に示すように、第１オペレーター用丸鍵５０１を鍵穴１１に挿入すると、第１コードピン８１と第１中間ピン８３の当接面が第１回転体２０と第２回転体３０との境界面に一致し、かつ第１中間ピン８３と第１ドライブピン８８の当接面及び第２中間ピン８４と第２ドライブピン８９の当接面が第２回転体３０と固定体４０との境界面に一致するが、第２コードピン８２と第２中間ピン８４の当接面が第１回転体２０と第２回転体３０との境界面から外れる。このため、第１オペレーター用丸鍵５０１を回すと、第１回転体２０と第２回転体３０が一体になって回転し、錠軸３８が回って錠が開閉される。
【００１７】
錠を変換するには、図１０及び図１１に示すように第１変換用丸鍵６０１を鍵穴１１に挿入する。第１変換用丸鍵６０１の挿入により、第１コードピン８１と第１中間ピン８３の当接面が第１回転体２０と第２回転体３０との境界面に一致し、第１中間ピン８３と第１ドライブピン８８の当接面が第２回転体３０と固定体４０との境界面に一致し、かつ第２コードピン８２と第２中間ピン８４の当接面が第１回転体２０と第２回転体３０との境界面に一致するが、第２中間ピン８４と第２ドライブピン８９の当接面が第２回転体３０と固定体４０との境界面から外れる。このため、第２回転体３０は固定体４０と一体になって回転不能となり、第１回転体２０が回転可能となる。
【００１８】
第１変換用丸鍵６０１を鍵穴１１に挿入して時計方向に約１８０度回すと、第１回転体２０が回転し、図１２及び図１３に示すように第１貫通ピン孔２５の列が第１有底孔３７に整列する。そこで、第１変換用丸鍵６０１を鍵穴１１から抜き出し、代わりに第２変換用丸鍵６０２を挿入すると、図１４及び図１５に示すように、第４カム溝ｃ１，ｃ２，ｃ３，ｃ４，ｃ５の深さに応じた数だけのスペーサー８６が第１有底孔３７から第１貫通ピン孔２５へ移動する。また、第２変換用丸鍵６０２は第３カム溝ｂ２を有するので、第２コードピン８２と第２中間ピン８４の当接面が第１回転体２０と第２回転体３０との境界面に一致し、第１回転体２０が回転可能になる。そこで、第２変換用丸鍵６０２を反時計方向に約１８０度回してから抜き取る。これにより、各第１貫通ピン孔２５の第１コードピン８１は移動してきたスペーサー８６の分だけ長くなるので、もはや第１オペレーター用丸鍵５０１を挿入しても開閉できなくなる。しかし、第２オペレーター用丸鍵５０２は第２変換用丸鍵６０２と同じ第４カム溝ｃ１，ｃ２，ｃ３，ｃ４，ｃ５の列と、第１オペレーター用丸鍵５０１と同じ第２カム溝ｂ１を有するので、第２オペレーター用丸鍵５０２を挿入すれば、図１６及び図１７に示すように、第１中間ピン８３と第１ドライブピン８８の当接面及び第２中間ピン８４と第２ドライブピン８９の当接面が第２回転体３０と固定体４０との境界面に一致して第２回転体３０が回転可能となり、かつ第２コードピン８２と第２中間ピン８４の当接面が第１回転体２０と第２回転体３０との境界面から外れて両回転体２０，３０が一体になる。従って、第２オペレーター用丸鍵５０２を回すと、第２回転体３０が第１回転体２０と一体に回転して錠軸３８が回り、錠が開閉される。
【００１９】
以上説明したように、本実施形態に係る鍵変換式ピンタンブラー錠によれば、所要深さのカム溝を形成した変換用丸鍵６０１，６０２を使って錠を従前のオペレーター用丸鍵５０１では開閉できず、別のオペレーター用丸鍵５０２でしか開閉出来ない構造に錠を変換できるので、顧客毎にタンブラーピンを組み込む作業を省略できる。そのため、製造コストを大幅に低減できる。
【００２０】
次ぎに、本発明の他の実施形態に係る鍵変換式ピンタンブラー錠を図１８に示す。当該ピンタンブラー錠における第１コードピン８１Ａ、第１中間ピン８３Ａ、第１ドライブピン８８Ａ、プッシュピン８５Ａは図１９に拡大して図示するように、断面形状が瓢箪形になるように、断面円形のピンに半円形の溝ｇを対称位置に形成し、端面に面取りｈ加工を施している。また、スペーサー８６Ａは断面瓢箪形のピンを薄く切断した瓢箪形の盤を用いている。これら瓢箪形のピンやスペーサーが挿入される第１貫通ピン孔２５Ａ、第３貫通ピン孔３５Ａ、第１有底孔３７Ａ、第２有底孔４２Ａの断面形状もピンやスペーサーが移動可能に嵌合するように瓢箪形に形成されている。また、第１貫通ピン孔に連通する溝２７Ａも半瓢箪形の断面形状に形成されている。
なお、本実施形態に係る鍵変換式ピンタンブラー錠の他の構成並びに錠の開閉操作、錠の変換操作は前述した鍵変換式ピンタンブラー錠と同じであるので、同一の構成部材には同一の符号を付して詳細な説明は省略する。
【００２１】
本実施形態に係る鍵変換式ピンタンブラー錠は、ピン及び孔を瓢箪形にしたので、第１貫通ピン孔２５Ａと対応する第３貫通ピン孔３５Ａ又は第１有底孔３７Ａ、及び第３貫通ピン孔３５Ａと第２有底孔と４２Ａが正しく整列したときのみ各ピンが対応する孔へ移動可能となり、断面円形のピンや貫通ピン孔、有底孔を備えたピンタンブラー錠の場合に往々にして生じる、所定の孔以外の孔へピンやスペーサーが移動することによる誤作動を防止できる。
【図面の簡単な説明】
【図１】本発明の一実施形態に係る鍵変換式ピンタンブラー錠を示す分解斜視図である。
【図２】鍵変換式ピンタンブラー錠の正面透視図である。
【図３】図２の３−３線から切断した断面図である。
【図４】鍵変換式ピンタンブラー錠の正面透視図である。
【図５】第１オペレーター用丸鍵を挿入したときの図４の５−５線から切断した断面図である。
【図６】鍵変換式ピンタンブラー錠の正面透視図である。
【図７】第１オペレーター用丸鍵を挿入したときの図６の７−７線から切断した部分断面図である。
【図８】２種類のオペレーター用丸鍵を示す斜視図である。
【図９】２種類の変換用丸鍵を示す斜視図である。
【図１０】鍵変換式ピンタンブラー錠の正面透視図である。
【図１１】第１変換用丸鍵を挿入したときの図１０の１１−１１線から切断した断面図である。
【図１２】第１変換用丸鍵を挿入して１８０度回したときの鍵変換式ピンタンブラー錠の正面透視図である。
【図１３】第１変換用丸鍵を挿入したときの図１２の１３−１３線から切断した断面図である。
【図１４】第１変換用丸鍵を挿入して１８０度回したときの鍵変換式ピンタンブラー錠の正面透視図である。
【図１５】第１変換用丸鍵を挿入したときの図１４の１５−１５線から切断した断面図である。
【図１６】鍵変換式ピンタンブラー錠の正面透視図である。
【図１７】第２オペレーター用丸鍵を挿入したときの図１６の１７−１７線から切断した部分断面図である。
【図１８】本発明の他の実施形態に係る鍵変換式ピンタンブラー錠を示す分解斜視図である。
【図１９】同ピンタンブラー錠のピンを示す斜視図である。
【符号の説明】
１０…ケーシング、１１…鍵穴、２０…第１回転体、２２…鍵嵌合軸、２５…第１貫通ピン孔、２６…第２貫通ピン孔、２５…延伸部、３０…第２回転体、３５…第３貫通ピン孔、３６…第４貫通ピン孔、３７…第１有底孔、３８…錠軸、４０…固定体、４２…第２有底孔、４３…第３有底孔、８１，８１Ａ…第１コードピン、８２…第２コードピン、８３，８３Ａ…第１中間ピン、８４…第２中間ピン、８５，８５Ａ…プッシュピン、８６，８６Ａ…スペーサー、８８，８８Ａ…第１ドライブピン、８９…第２ドライブピン、８７，９０…コイルスプリング。
【図１】
2004324141.tif 000003
【図２】
2004324141.tif 000004
【図３】
2004324141.tif 000005
【図４】
2004324141.tif 000006
【図５】
2004324141.tif 000007
【図６】
2004324141.tif 000008
【図７】
2004324141.tif 000009
【図８】
2004324141.tif 000010
【図９】
2004324141.tif 000011
【図１０】
2004324141.tif 000012
【図１１】
2004324141.tif 000013
【図１２】
2004324141.tif 000014
【図１３】
2004324141.tif 000015
【図１４】
2004324141.tif 000016
【図１５】
2004324141.tif 000017
【図１６】
2004324141.tif 000018
【図１７】
2004324141.tif 000019
【図１８】
2004324141.tif 000020
【図１９】
2004324141.tif 000021